(57)【要約】【課題】より優れた色再現性でカラー表示をなし得るカラー液晶表示装置(1)を与える光学部材を提供する。【解決手段】本発明の光学部材は、波長４５０ｎｍ、波長５４５ｎｍおよび波長６１０ｎｍにおける光線透過率（Ｔ450、Ｔ545、Ｔ610）が、式（１）  Ｔ450＜Ｔ545＜Ｔ610…（１）  を満足し、好ましくは波長５８０ｎｍ、波長４９０ｎｍにおける光線透過率（Ｔ580、Ｔ490）が式（２）、式（３）  Ｔ580≦０．９×〔（Ｔ450＋Ｔ545＋Ｔ610）／３〕…（２）    Ｔ490≦０．９×〔（Ｔ450＋Ｔ545＋Ｔ610）／３〕…（３）  を満足する波長選択吸収性である。液晶セル(2)、偏光シート(3)およびカラーフィルター(4)から構成される画像表示部(5)と、この画像表示部(5)を照明する冷陰極線管(6)とを備え、該冷陰極線管(6)から前記画像表示部(5)までの光路上などに組み込まれて用いられる。【選択図】図１
2007147698.tif 000002
【特許請求の範囲】
【請求項１】
波長４５０ｎｍにおける光線透過率（Ｔ450）、波長５４５ｎｍにおける光線透過率（Ｔ545）および波長６１０ｎｍにおける光線透過率（Ｔ610）が、式（１）
Ｔ450 ＜ Ｔ545 ＜ Ｔ610 ・・・（１）  
を満足することを特徴とする波長選択吸収性光学部材。
【請求項２】
波長５８０ｎｍにおける光線透過率（Ｔ580）が、式（２）
Ｔ580 ≦ ０．９×〔（Ｔ450＋Ｔ545＋Ｔ610）／３〕・・・（２）  
を満足する請求項１に記載の波長選択吸収性光学部材。
【請求項３】
波長４９０ｎｍにおける光線透過率（Ｔ490）が、式（３）
Ｔ490 ≦ ０．９×〔（Ｔ450＋Ｔ545＋Ｔ610）／３〕・・・（３）  
を満足する請求項１または請求項２に記載の波長選択吸収性光学部材。
【請求項４】
カラー液晶表示装置に組み込まれて用いられる請求項１〜請求項３のいずれかに記載の波長選択吸収性光学部材。
【請求項５】
カラー液晶表示装置を構成する導光板、光拡散板、プリズムシートまたは前面板である請求項４に記載の波長選択吸収性光学部材。
【請求項６】
液晶セル、偏光シートおよびカラーフィルターから構成される画像表示部と、該画像表示部を照明する冷陰極線管とを備え、該冷陰極線管から前記画像表示部までの光路上、前記画像表示部内、または前記画像表示部の前面側に、請求項１〜請求項３のいずれかに記載の波長選択吸収性光学部材が組み込まれてなることを特徴とするカラー液晶表示装置。
【発明の詳細な説明】
【技術分野】
【０００１】
本発明は、波長選択吸収性光学部材に関し、詳しくはカラー液晶表示装置に好適に組み込まれて用いられる波長選択吸収性光学部材に関する。
【背景技術】
【０００２】
カラー液晶表示装置(1)は、図１に示すように、液晶セル(2)、その両面に配置された偏光シート(3)およびカラー表示を行うために液晶セルを透過する透過光を着色するカラーフィルター(4)から構成される画像表示部(5)と、該画像表示部(5)を背面側から照明する光源(6)とを備えた画像表示装置であり、例えば液晶テレビなどとして広く用いられている。このようなカラー液晶表示装置を構成する光源(6)としては、冷陰極線管が一般的に用いられている。冷陰極線管(6)と画像表示部(5)との間の光路上には、冷陰極線管(6)からの光を画像表示部(5)に向けて導く導光板(7)、画像表示部(5)を均一に照明するための光拡散板(8)、プリズムシート(9)などのような光学部材が組み込まれる。画像表示部(5)には偏光シート(3)、カラーフィルター(4)のほか、通常は、より高い品位で画像を表示するための位相差板(10)などの光学部材が組み込まれる。画像表示部(5)の前面には、これを外部から保護するための前面板(11)などの光学部材が組み込まれる。
【０００３】
かかる光学部材としては、優れた色再現性でカラー表示を与えるものが求められており、特許文献１〔特開平１０−３１９２３１号公報〕には、波長４５０ｎｍにおける光線透過率（Ｔ450）、波長５４５ｎｍにおける光線透過率（Ｔ545）および波長６１０ｎｍにおける光線透過率（Ｔ610）が、式（１０）
Ｔ450 ＞ Ｔ545 ＞ Ｔ610 ・・・（１０）  
を満足するものが提案されている。
【０００４】
しかし、従来の光学部材が組み込まれたカラー画像表示装置(1)では、表示されるカラー画像の色再現性が必ずしも十分なものであるとは言えなかった。
【０００５】
【特許文献１】開平１０−３１９２３１号公報
【発明の開示】
【発明が解決しようとする課題】
【０００６】
そこで本発明は、より優れた色再現性でカラー表示をなし得るカラー液晶表示装置を与える光学部材を開発するべく鋭意検討した結果、本発明に至った。
【課題を解決するための手段】
【０００７】
すなわち本発明は、波長４５０ｎｍにおける光線透過率（Ｔ450）、波長５４５ｎｍにおける光線透過率（Ｔ545）および波長６１０ｎｍにおける光線透過率（Ｔ610）が、式（１）
Ｔ450 ＜ Ｔ545 ＜ Ｔ610 ・・・（１）  
を満足することを特徴とする波長選択吸収性光学部材を提供するものである。
【発明の効果】
【０００８】
本発明の波長選択吸収性光学部材は、画像表示装置を構成する画像表示装置用光学部材として有用であり、例えば光拡散板などとして、これを組み込んだカラー液晶表示装置は、カラー画像の色再現性に優れている。
【発明を実施するための最良の形態】
【０００９】
本発明の波長選択吸収性光学部材は、カラー液晶表示装置(1)に組み込まれて用いられるものである。
【００１０】
カラー液晶表示装置(1)は、例えば図１および図２に示すように、画像表示部(5)と、光源(6)とを備え、画像表示部(5)により表示されるカラー画像を、光源(6)により背面から照明するものである。図１および図２に示すカラー画像表示装置(1)において、光源(6)としては、冷陰極線管が用いられている。
【００１１】
画像表示部(5)は、液晶セル(2)、偏光シート(3)およびカラーフィルター(4)などから構成される。偏光シート(3)は通常、液晶セル(2)の両面に配置される。カラーフィルター(4)は、カラー表示を行うために液晶セル(2)を透過する光を着色するものであり、通常は液晶セル(2)の背面側で、偏光シート(3)との間に配置される。画像表示部(5)には、高品位で画像を表示させるための位相差板(10)などが組み込まれていてもよい。
【００１２】
図１に示すサイドエッジ型カラー液晶表示装置(1)においては、一本の光源(6)が、画像表示部(5)の背面側の側方に配置されている。この光源(6)からの光は導光板(7)などにより画像表示部(5)に向けて導かれ、画像表示部(5)の直下に配置された光拡散板(8)、プリズムシート(9)などを透過して、画像表示部(5)を均一に照明する。導光板(7)は、画像表示部(5)の背面側の側方に配置された光源(6)からの光を画像表示装置(5)に向けて導くための光学部材である。光拡散板(8)は、導光板(7)からの光を拡散させながら透過させる光学部材である。プリズムシート(9)は、表面または内部に設けられたプリズムにより、画像表示部(5)が均一に照明されるように光を屈折させながら透過させる光学部材であり、通常は光拡散板(8)と画像表示部(5)との間に配置される。
【００１３】
図２に示す直下型カラー液晶表示装置(1)において、光源(6)は、画像表示部(5)の背面の直下に１本または２本以上の複数本配置され、光源(6)と画像表示部(5)との間に配置された光拡散板(7)、この光拡散板(7)と画像表示部(5)との間に配置されたプリズムシート(8)などにより画像表示部(5)を均一に照明する。
【００１４】
図１および図２に示すカラー液晶表示装置(1)において、画像表示部(5)の前面には、画像表示部(5)を外部から保護するための前面板(11)が配置されており、画像表示部(5)により表示されるカラー画像は、この前面板(11)を通じて観察される。
【００１５】
本発明の波長選択吸収性光学部材は、例えば
（１）導光板(7)、光拡散板(8)、プリズムシート(9)などとして、光源(6)から画像表示部(5)までの光路上に組み込まれてもよいし、
（２）偏光シート(3)、位相差シート(10)などとして画像表示部(5)内に組み込まれてもよいし、
（３）前面板(11)として画像表示部(5)の前面側に組み込まれてもよいが、画像を表示しないときや、黒色を表示した際に自然な黒色に見える点で、画像表示部(5)の背面となるように、光源(6)から画像表示部(5)間での光路上に組み込むことが好ましい。
【００１６】
本発明の波長選択吸収性光学部材の全光線透過率（Ｔｔ）は、通常４０％〜９５％である。
【００１７】
本発明の波長選択吸収性光学部材は、波長５８０ｎｍにおける光線透過率（Ｔ580）が、式（２）
Ｔ580 ≦ ０．９×〔（Ｔ450＋Ｔ545＋Ｔ610）／３〕・・・（２）  
を満足するか、あるいは
【００１８】
波長４９０ｎｍにおける光線透過率（Ｔ490）が、式（３）
Ｔ490 ≦ ０．９×〔（Ｔ450＋Ｔ545＋Ｔ610）／３〕・・・（３）  
を満足することが好ましく、
【００１９】
波長５８０ｎｍにおける光線透過率（Ｔ580）が式（２）を満足すると共に、波長４９０ｎｍにおける光線透過率（Ｔ490）が式（３）を満足することが更に好ましい。なお、波長５８０ｎｍにおける光線透過率（Ｔ580）および波長４９０ｎｍにおける光線透過率（Ｔ490）は０％であってもよい。
【００２０】
本発明の波長選択吸収性光学部材は、例えば透明材料に波長選択吸収剤を分散させたものが用いられる。透明材料としては、無機ガラスであってもよいが、光学部材への加工が容易である点で、メタクリル樹脂、ポリスチレン樹脂、ポリカーボネート樹脂などの透明樹脂材料が挙げられる。波長選択吸収剤としては、例えば染料として用いられている化合物を適宜組み合わせて用いられる。
【００２１】
透明樹脂材料に波長選択吸収剤を分散させた波長選択吸収性光学部材は、例えば
（１）透明樹脂材料を加熱溶融させ、波長選択吸収剤を添加して溶融混練し、押出成形法、射出成形法、プレス成形法などの成形方法により成形する方法、
（２）透明樹脂材料の原料となる単量体を重合開始剤および波長選択吸収剤と混合し、この重合開始剤により型内で重合させる方法、
（３）透明樹脂材料からなる光学部材の表面に波長選択吸収剤を含む塗料をコーティングすることにより、これを含む層を設ける方法、
（４）透明樹脂材料からなる光学部材に波長選択吸収剤を含浸させて染色する方法
などが挙げられる。
【００２２】
また、光学部材がシート状またはフィルム状である場合には、
（５）透明樹脂材料からなるシートまたはフィルムに、光選択吸収剤を含むシートまたはフィルムを貼合することにより、本発明の波長選択吸収性光学部材を得てもよい。
【００２３】
本発明の波長選択吸収性光学部材は、本発明の目的を損なわない範囲で、光拡散材、充填材、離型剤、紫外線吸収剤、酸化防止剤などの安定剤、難燃化剤などを含んでいてもよい。また表面は平滑であってもよいし、に光を拡散させるための細かな凹凸が設けられていてもよい。
【実施例】
【００２４】
以下、実施例により本発明をより詳細に説明するが、本発明は、かかる実施例により限定されるものではない。
【００２５】
実施例１
メタクリル酸メチル１００質量部に、アゾイソブチロニトリル（重合開始剤）０．０５質量部、染料〔(株)林原生物化学研究所製「ＮＫ５４５０」、最大吸収波長５８２ｎｍ〕０．０００５質量部および染料〔林原生物化学研究所製「ＮＫ５７０５」、最大吸収波長４９２ｎｍ〕０．０００５質量部を加えて混合し、二枚のガラス板および、その周囲をシールするポリ塩化ビニル製ガスケットから構成された重合用セルに充填し、加熱して、上記メタクリル酸メチルを重合させることにより、厚さ２ｍｍの透明シートを得た。
【００２６】
この透明シートの光線透過率を分光光度計〔(株)日立製作所製「Ｕ−４０００」〕により波長５ｎｍ間隔で３８０ｎｍ〜７８０ｎｍの範囲で求めたところ、第１表に示す結果を得た。
【００２７】
第 １ 表                       単位：％
━━━━━━━━━━━━━━━━━━━━━━━━━━━━━━━━━━━
全光線透過率    波長450nm   490nm   545nm   580nm   610nm   
━━━━━━━━━━━━━━━━━━━━━━━━━━━━━━━━━━━
実施例１      75.7            46.5    27.8    53.8    39.0    56.9    
━━━━━━━━━━━━━━━━━━━━━━━━━━━━━━━━━━━
【００２８】
図１に示す構成のカラー液晶表示装置〔市販品、色再現性（Ｇamut）は７５％〕(1)を構成し、画像表示部(5)の背面に配置された拡散板(8)に、上記で得た透明シートを重ね合わせたところ、その色再現性（Ｇamut）は８０％であり、人肌が、より自然な色で再現されたカラー画像を表示することができた。
なお、色再現性（Ｇamut）は、カラー液晶表示装置(1)により表示されるカラー画像の色再現範囲を、国際照明委員会（Commission Internationale de l'Eclairage）が定めるＣＩＥ色度図上で求め、ＮＴＳＣ（National Television System Committee）が定める色再現範囲に対する面積比として求めた。
【図面の簡単な説明】
【００２９】
【図１】サイドエッジ型カラー液晶表示装置の構成を模式的に示す断面図である。
【図２】直下型カラー液晶表示装置の構成を模式的に示す断面図である。
【符号の説明】
【００３０】
１：カラー画像表示装置（サイドエッジ型、直下型）
２：液晶セル            ３：偏光シート          ４：カラーフィルター
５：画像表示部          ６：光源（冷陰極線管）  ７：導光板
８：光拡散板            ９：プリズムシート      １０：位相差板
１１：前面板
【図１】
2007147698.tif 000003
【図２】
2007147698.tif 000004